(57)【要約】【課題】羽根部材間に配置される複数のスペーサを一体化した羽根間調整部材を有する減光装置であっても、羽根間調整部材に複数枚の羽根部材を容易に組み込むことができるようにして組立性の向上を図る仕組みを提供する。【解決手段】減光装置は、透過性の異なる光学フィルタを保持する複数枚の羽根部材５ａ〜５ｄと、羽根部材に対してそれぞれ連結部２０を介して回動可能に連結される複数のリンク部材６ａ〜６ｄと、リンク部材の連結部２０と反対側の端部に個別に係合する複数のカム部を有し、カム部がリンク部材に係合して押すことで、羽根部材を回動動作させるカム部材１７と、羽根部材を案内するレール部を有する羽根間調整部材１８とを備える。長穴部５０の連結部２０に近い側の端部から連結部２０の中心までの距離を、羽根部材を光軸と直交する方向から羽根間調整部材１８のレール部に挿入できるとともに、摺動軸部４８と連結部２０と羽根部材の回動軸２１とが直線上に並ぶことができない長さとした。【選択図】図１７
2014044308.tif 000002
【特許請求の範囲】
【請求項１】
ベース部材と、
前記ベース部材に対して光軸方向に互いに間隔をあけて配置され、撮影光路を遮る位置と前記撮影光路から退避する位置とに回動可能に支持されて、それぞれ光透過性の異なる光学フィルタをそれぞれ保持する複数枚の羽根部材と、
前記ベース部材に設けられた摺動軸部に摺動可能に支持される長穴部を有し、前記長穴部の長手方向を向く端部が前記複数の羽根部材に対してそれぞれ連結部を介して回動可能に連結される複数のリンク部材と、
前記複数のリンク部材の前記連結部と反対側の端部に個別に係合する複数のカム部を有し、前記カム部が前記リンク部材の前記連結部と反対側の端部に係合して押すことで、前記羽根部材を回動動作させるカム部材と、
前記複数の羽根部材が回動動作する際に、前記複数の羽根部材をそれぞれ案内する複数のレール部を有する羽根間調整部材と、を備え、
前記長穴部の前記連結部に近い側の端部から前記連結部の中心までの距離を、前記羽根部材を光軸と直交する方向から前記羽根間調整部材の前記レール部に挿入できるとともに、前記摺動軸部と前記連結部と前記羽根部材の回動軸とが直線上に並ぶことができない長さとしたことを特徴とする減光装置。
【請求項２】
前記長穴部の前記連結部から遠い側の端部から前記連結部の中心までの距離を、前記羽根部材が前記撮影光路を閉じた状態で前記光学フィルタの内側を光束がすべて通過できる長さとしたことを特徴とする請求項１に記載の減光装置。
【請求項３】
前記羽根部材が前記撮影光路から退避する位置に回動した際に、前記羽根部材に当接する開口側当接部材を備え、
前記開口側当接部材は、前記ベース部材に対して着脱可能であることを特徴とする請求項１又は２に記載の減光装置。
【請求項４】
前記レール部の被写体と反対側の面取り部の面取り寸法を被写体側の面取り部の面取り寸法より大きくしたことを特徴とする請求項１乃至３のいずれか一項に記載の減光装置。
【請求項５】
前記複数のリンク部材のうち、被写体と反対側に配置される前記リンク部材の前記長穴部の長さが被写体側に配置される前記リンク部材の前記長穴部よりも短いことを特徴とする請求項１乃至４のいずれか一項に記載の減光装置。
【請求項６】
前記羽根部材が前記撮影光路を遮る位置に回動した際に、前記羽根部材に当接する閉口側当接部材を備え、
前記閉口側当接部材は、弾性変形が可能とされていることを特徴とする請求項１乃至５のいずれか一項に記載の減光装置。
【請求項７】
前記羽根間調整部材の光軸方向を重力方向と一致させた場合に、下側に配置される前記レール部の長さを上側に配置される前記レール部の長さより長くしたことを特徴とする請求項１乃至６のいずれか一項に記載の減光装置。
【請求項８】
光学フィルタを保持する複数枚の羽根部材を有する減光装置が搭載される撮像装置であって、
前記減光装置として、請求項１乃至７のいずれか一項に記載の減光装置が搭載されることを特徴とする撮像装置。
【発明の詳細な説明】
【技術分野】
【０００１】
本発明は、ＮＤフィルタ等の光学フィルタを保持する複数枚の羽根部材を有する減光装置、及び減光装置が搭載されるデジタルカメラ等の撮像装置に関する。
【背景技術】
【０００２】
デジタルカメラ等の撮像装置では、ＮＤフィルタ等の光学フィルタを保持する複数枚の羽根部材を有する減光装置が搭載されるものがある（特許文献１及び２）。このような減光装置は、羽根部材が回動することで撮影光路を遮るタイプと、羽根部材が直動することで撮影光路を遮るタイプに別れる。いずれの場合も、羽根部材の組立や交換等の際には、羽根部材を上方から落とし込んで組み込むのが一般的である。
【先行技術文献】
【特許文献】
【０００３】
【特許文献１】特開２０１０−４９１３６号公報
【特許文献２】特開２０１０−２７１３６０号公報
【発明の概要】
【発明が解決しようとする課題】
【０００４】
ところで、減光装置の部品点数の削減や小型化のために、羽根部材間に配置される複数のスペーサを一体化した羽根間調整部材を有するものがある。このような減光装置では、羽根部材を落とし込んで組み込むことができなくなる。一方、羽根間調整部材の組込み時に羽根部材を同時に挿入しようとすると、作業が煩雑で組み立て性が悪くなる。
【０００５】
そこで、本発明は、羽根部材間に配置される複数のスペーサを一体化した羽根間調整部材を有する減光装置であっても、羽根間調整部材に複数枚の羽根部材を容易に組み込むことができるようにして組立性の向上を図る仕組みを提供することを目的とする。
【課題を解決するための手段】
【０００６】
上記目的を達成するために、本発明の減光装置は、ベース部材と、前記ベース部材に対して光軸方向に互いに間隔をあけて配置され、撮影光路を遮る位置と前記撮影光路から退避する位置とに回動可能に支持されて、それぞれ光透過性の異なる光学フィルタをそれぞれ保持する複数枚の羽根部材と、前記ベース部材に設けられた摺動軸部に摺動可能に支持される長穴部を有し、前記長穴部の長手方向を向く端部が前記複数の羽根部材に対してそれぞれ連結部を介して回動可能に連結される複数のリンク部材と、前記複数のリンク部材の前記連結部と反対側の端部に個別に係合する複数のカム部を有し、前記カム部が前記リンク部材の前記連結部と反対側の端部に係合して押すことで、前記羽根部材を回動動作させるカム部材と、前記複数の羽根部材が回動動作する際に、前記複数の羽根部材をそれぞれ案内する複数のレール部を有する羽根間調整部材と、を備え、前記長穴部の前記連結部に近い側の端部から前記連結部の中心までの距離を、前記羽根部材を光軸と直交する方向から前記羽根間調整部材の前記レール部に挿入できるとともに、前記摺動軸部と前記連結部と前記羽根部材の回動軸とが直線上に並ぶことができない長さとしたことを特徴とする。
【発明の効果】
【０００７】
本発明によれば、羽根部材間に配置される複数のスペーサを一体化した羽根間調整部材を有する減光装置であっても、羽根間調整部材に複数枚の羽根部材を容易に組み込むことができるので、組立性の向上を図ることができる。
【図面の簡単な説明】
【０００８】
【図１】（ａ）は、本発明の減光装置の第１の実施形態であるＮＤユニットが搭載された撮像装置の一例としてのデジタルカメラを示す斜視図である。（ｂ）は、（ａ）に示すデジタルカメラを構成するレンズ鏡筒、マウント部、ＮＤユニット、及び撮像部の分解斜視図である。
【図２】ＮＤユニットの斜視図である。
【図３】図２に示すＮＤユニットからフレキ部、ダイアル部、及び上蓋部を取り外した状態の斜視図である。
【図４】図２に示すＮＤユニットの分解斜視図である。
【図５】図３の矢印α方向から見た図である。
【図６】バネ部材の取り付け方法を説明するための斜視図である。
【図７】バネ部材の斜視図である。
【図８】バネ軸部とバネ部材との斜視図である。
【図９】（ａ）は図６の矢印β方向から見た拡大斜視図、（ｂ）は（ａ）の右側から見た図である。
【図１０】羽根部材が閉口状態にある図である。
【図１１】閉口側当接部材を説明するための説明図である。
【図１２】（ａ）は羽根部材の斜視図、（ｂ）は羽根部材の分解斜視図、（ｃ）は（ｂ）の反対側から見た斜視図である。
【図１３】ベース部材に羽根部材を取り付けた状態を示す斜視図である。
【図１４】（ａ）は上部保持部材と下部保持部材とを係止部と被係止部との係止構造とビス止め構造を併用して一体化した場合の羽根部材を光軸方向の被写体側から見た図、（ｂ）は（ａ）のＡ−Ａ線断面図である。
【図１５】（ａ）は上部保持部材と下部保持部材とをビス止めのみで一体化した場合の羽根部材を光軸方向の被写体側から見た図、（ｂ）は（ａ）のＢ−Ｂ線断面図である。
【図１６】（ａ）は、リンク部材とアームガードが接続された羽根部材、及びベース部材を光軸方向の被写体と反対側から見た斜視図である。（ｂ）は、リンク部材とアームガードが接続された羽根部材をベース部材に組み込んだ状態を光軸方向の被写体と反対側から見た斜視図である。
【図１７】ＮＤユニットの組立状態を示す斜視図である。
【図１８】後述する距離Ｌ１を羽根部材を光軸と直交する方向から羽根間調整部材のレール部に挿入できない長さにした状態を示す図、（ｂ）は摺動軸部と連結部と回動軸部が略直線上に並んだ状態を示す図である。
【図１９】（ａ）は羽根部材の退避位置への角度範囲が広くなっている状態を示す図、（ｂ）は後述する距離Ｌ２をフィルタ部の内側を光束がすべて通過できる長さより短くした状態を示す図である。
【図２０】羽根部材の先端が重力により光軸方向下方へ寸法Ｚだけ落ち込んだ状態を示す斜視図である。
【図２１】羽根部材の先端が重力により光軸方向下方へ寸法Ｚだけ落ち込んだ状態を示す図である。
【図２２】（ａ）は本発明の減光装置の第２の実施形態であるＮＤユニットにおける羽根間調整部材のレール部と羽根部材との関係を示す図、（ｂ）はリンク部に形成した長穴部の長さについて説明するための図である。
【図２３】互いに隣り合う羽根部材が退避位置にあるときの状態を示す図である。
【図２４】本発明の減光装置の第３の実施形態であるＮＤユニットにおける羽根間調整部材の要部を示す斜視図である。
【図２５】本発明の減光装置の第４の実施形態であるＮＤユニットにおいて、アームガードがカム部材の凸部により押し上げられた状態を示す図である。
【図２６】図２５の矢印γ方向から見た図である。
【図２７】（ａ）はアームガードの幅狭部とカム部材の凸部との光軸方向の幅寸法を誇張した概念図、（ｂ）は幅狭部がない場合のアームガードとカム部材の凸部の光軸方向の幅寸法を誇張した概念図である。
【発明を実施するための形態】
【０００９】
以下、本発明の実施形態を図面を参照して説明する。
【００１０】
（第１の実施形態）
図１（ａ）は、本発明の減光装置の第１の実施形態であるＮＤユニットが搭載された撮像装置の一例としてのデジタルカメラを示す斜視図である。図１（ｂ）は、図１（ａ）に示すデジタルカメラを構成するレンズ鏡筒、マウント部、ＮＤユニット、及び撮像部の分解斜視図である。
【００１１】
図１（ａ）に示すデジタルカメラは、カメラ本体２に、グリップ部９、ハンドル部１０、レンズ鏡筒３、表示部１１、ＣＶＦ（Ｃｏｌｏｒ  Ｖｉｅｗ  Ｆｉｎｄｅｒ）部１２、及びダイアル部１３等が設けられる。
【００１２】
また、図１（ｂ）に示すように、カメラ本体２には、被写体側から順にマウント部４、ＮＤユニット１、及び撮像部８が光軸に沿って設けられ、マウント部４には、レンズ鏡筒３が着脱可能に装着される。
【００１３】
ＮＤユニット１は、ダイアル部１３を回転操作することで、光透過性の異なる複数枚（本実施形態では４枚）の羽根部材５ａ〜５ｄのいずれかを選択的に撮影光路に進入させることができる。また、４枚の羽根部材５ａ〜５ｄのうちのどの羽根部材が撮影光路に進入しているのかを表示部１１やＣＶＦ部１２で確認することができる。
【００１４】
図２は、ＮＤユニット１の斜視図である。図３は、図２に示すＮＤユニット１からフレキ部１５、ダイアル部１３、及び上蓋部１６を取り外した状態の斜視図である。図４は、図２に示すＮＤユニット１の分解斜視図である。図５は、図３の矢印α方向から見た図である。
【００１５】
図２に示すように、ダイアル部１３の上部には、フレキ部１５が上蓋部１６を介して固定されている。フレキ部１５には、不図示のフォトカプラが設けられており、これによりダイアル部１３の角度位置を検出できる。
【００１６】
ダイアル部１３の角度位置は、羽根部材５ａ〜５ｄの状態と連動しているので、ダイアル部１３の角度位置に基づき、複数枚の羽根部材５ａ〜５ｄのうち、どの羽根部材が撮影光路を遮っているのか検出することができる。この検出結果は、フレキ部１５と接続された不図示のメイン基板に伝えられる。
【００１７】
図３及び図４に示すように、ＮＤユニット１は、４枚の羽根部材５ａ〜５ｄを有する。本実施形態では、４枚の羽根部材５ａ〜５ｄを区別する際に、図４において紙面奥側、すなわち被写体と反対側の羽根部材を羽根部材５ａとし、被写体に近づく順に羽根部材５ｂ、羽根部材５ｃ、羽根部材５ｄとする。
【００１８】
羽根部材５ａ〜５ｄの先端は、羽根間調整部材１８により光軸方向に一定間隔が保たれるようになっている。羽根部材５ａ〜５ｄには、それぞれ光透過性の異なる光学フィルタ部１９ａ〜１９ｄが設けられている。光学フィルタ部１９ａ〜１９ｄは、本実施形態では、ＮＤフィルタとされている。
【００１９】
羽根部材５ａ〜５ｄは、連結部２０（図３）を介してリンク部材６ａ〜６ｄに回動可能に接続され、ベース部材２８に対して回動軸部２１を中心に回動可能に支持されている。リンク部材６ａ〜６ｄの羽根部材５ａ〜５ｄの反対側の端部には、アームガード７ａ〜７ｄが取り付けられている。
【００２０】
リンク部材６ａ〜６ｄとバネ軸部２２との間には、リンク部材６ａ〜６ｄをカム部材１７の方向に付勢するバネ部材２３ａ〜２３ｄが取り付けられている。リンク部材６ａ〜６ｄに対するバネ部材２３ａ〜２３ｄによるカム部材１７の方向の付勢力により、羽根部材５ａ〜５ｄは、回動軸部２１を中心として開口側当接部材２４に当接するまで撮影光路から退避する方向に回動する。本実施形態では、羽根部材５ａ〜５ｄが開口側当接部材２４に当接した状態を「開口状態」と呼ぶ。
【００２１】
カム部材１７は、ダイアル部１３の回転操作に連動してカム軸部２５を中心に回動する。カム部材１７は、光軸方向の位置が異なる凸部２６ａ〜２６ｄを有する。凸部２６ａ〜２６ｄは、９０°ごとに互いに光軸周りに離間配置され、図５に示すように、光軸方向の位置が対応するアームガード７ａ〜７ｄの光軸方向の位置と一致して、アームガード７ａ〜７ｄに対して個別に係合する。ここでは、凸部２６ａとアームガード７ａ、凸部２６ｂ（不図示）とアームガード７ｂ、凸部２６ｃとアームガード７ｃ、凸部２６ｄとアームガード７ｄがそれぞれ対応している。凸部２６ａ〜２６ｄは、本発明の複数のカム部の一例に相当する。
【００２２】
カム部材１７が回動して、例えば凸部２６ａが対応するアームガード７ａに係合してアームガード７ａを押し上げると、アームガード７ａに接続されたリンク部材６ａがバネ部材２３の付勢方向と反対方向に移動する。これにより、羽根部材５ａが撮影光路を閉じる方向に回動軸部２１を中心に閉口側当接部材２７に当接するまで回動する。本実施形態では、羽根部材５ａ〜５ｄが閉口側当接部材２７に当接した状態を「閉口状態」と呼ぶ。
【００２３】
図４では、凸部２６ａがアームガード７ａをバネ部材２３ａの付勢力に抗して押したことにより、羽根部材５ａが閉口状態となり、その他の羽根部材５ｂ〜５ｄは開口状態となっている。
【００２４】
図６はバネ部材２３ａ〜２３ｄの取り付け方法を説明するための斜視図、図７はバネ部材２３ａの斜視図、図８はバネ軸部２２とバネ部材２３ａ〜２３ｄとの斜視図である。図９（ａ）は図６の矢印β方向から見た拡大斜視図、図９（ｂ）は図９（ａ）の右側から見た図である。
【００２５】
図６に示すように、羽根部材５ｄは、バネ部材２３ｄの付勢力により、撮影光路を開く方向に付勢される。バネ部材２３ｄの両端は、それぞれベース部材２８に固定されたバネ軸部２２とリンク部材６ｄのバネ止め部２９ｄに掛止される。
【００２６】
羽根部材５ａ〜５ｃについても、同様に、バネ部材２３ａ〜２３ｃの付勢力により、撮影光路を開く方向に付勢される。バネ部材２３ａ〜２３ｃの両端は、図９（ａ）に示すように、それぞれベース部材２８に固定されたバネ軸部２２とリンク部材６ａ〜６ｃのバネ止め部２９ａ〜２６ｃに掛止される。
【００２７】
次に、バネ部材２３ａ〜２３ｄ、バネ軸部２２、及びバネ止め部２９ａ〜２９ｄの詳細について説明する。
【００２８】
図７に示すように、バネ部材２３ａは、引っ張りコイルばねで構成され、両端にフック部３０ａ，３１ａを有する。フック部３０ａ，３１ａは、バネ部材２３ａの伸縮方向に対して互いに直交配置されている。そして、フック部３１ａがバネ軸部２２に掛止され、フック部３０ａがバネ止め部２９ａに掛止される。
【００２９】
バネ部材２３ｂ〜２３ｄについても、同様に、フック部３０ｂ〜３０ｄ，３１ｂ〜３１ｄを有し、フック部３１ｂ〜３１ｄがバネ軸部２２に掛止され、フック部３０ｂ〜３０ｄがバネ止め部２９ｂ〜２９ｄに掛止される。
【００３０】
バネ軸部２２には、バネ部材２３ａ〜２３ｄのフック部３１ａ〜３１ｄが掛止される掛止溝３２ａ〜３２ｄが光軸方向に略等間隔で形成されている。掛止溝３２ａ〜３２ｄは、光軸と平行な軸線を中心とした全周溝とされている。
【００３１】
図９（ａ）に示すように、バネ止め部２９ａ〜２９ｄには、それぞれ光軸からの距離が異なる２カ所の掛止溝２９ａ−１，２９ａ−２〜２９ｄ−１，２９ｄ−２が形成されている。掛止溝２９ａ−１〜２９ｄ−１は、掛止溝２９ａ−２〜２９ｄ−２より光軸に接近して配置されている。
【００３２】
本実施形態では、フック部３０ａを掛止溝２９ａ−１、フック部３０ｂを掛止溝２９ｂ−２、フック部３０ｃを掛止溝２９ｃ−１、フック部３０ｄを掛止溝２９ｄ−２にそれぞれ掛止している。即ち、フック部３０ａ〜３０ｄの掛止位置が交互に光軸からの距離が異なるように配置している。これにより、フック部３０ａ〜３０ｄが互いに干渉しなくなり、図９（ｂ）に示すように、ＮＤユニット１を光軸方向に薄型化することができる。
【００３３】
図１０は、羽根部材５ａが閉口状態にある図である。なお、図１０では、説明の便宜上、羽根部材５ｂ〜５ｄの図示を省略している。図１０に示すように、閉口状態では、羽根部材５ａは、閉口側当接部材２７に当接している。
【００３４】
図１１（ａ）は閉口側当接部材２７が軸部３５に取り付けられている状態を示す斜視図、図１１（ｂ）は図１１（ａ）を軸部３５の軸方向から見た図である。
【００３５】
閉口側当接部材２７は、シリコンゴム等の弾性部材で形成され、軸部３５から見て羽根部材５ａ側に中空部３７を有する。閉口側当接部材２７の中空部３７側の外形は、軸部３５を中心にして半径ｒ１の略円弧形状をなしている。
【００３６】
また、閉口側当接部材２７は、軸部３５から見て羽根部材５ａの反対側は、中空部は形成されず、その外形は軸部３５を中心として半径ｒ２の略円弧形状をなしており、ｒ１＞ｒ２の関係となっている。
【００３７】
ＮＤユニット１に振動が加わった場合、羽根部材５ａは、回動軸部２１を中心に回転方向にガタつこうとする。このとき、羽根部材５ａは、リンク部材６ａ及びアームガード７を介してカム部材１７の凸部２６ａと接しているので、開口状態になる方向に回動することはできない。
【００３８】
一方、図１１（ｃ）に示すように、閉口側当接部材２７の中空部３７側の壁部が弾性変形することで、羽根部材５ａは閉口状態になる方向には回動することができる。この閉口側当接部材２７の中空部３７側の壁部が弾性変形すると同時に、羽根部材５ａを緩やかに押す反力で羽根部材５ａの振動によるガタつきを抑えることができる。
【００３９】
また、カメラが落下する等してＮＤユニット１に強い衝撃が加わった場合、羽根部材５ａは、回動軸部２１を中心に回転方向に大きく動こうとする。このとき、羽根部材５ａは、リンク部材６ａ及びアームガード７ａを介してカム部材１７の凸部２６ａと接しているので、開口状態になる方向に回動することはできない。
【００４０】
一方、図１１（ｄ）に示すように、閉口側当接部材２７の中空部３７側の壁部が弾性変形することで、羽根部材５ａは閉口状態になる方向には回動することができる。図１１（ｄ）に示すように、閉口側当接部材２７の中空部３７側の壁部が完全に弾性変形すると、その弾性反力により羽根部材５ａが強く押されて、羽根部材５ａやカム部材１７への衝撃を緩和することができる。
【００４１】
また、閉口側当接部材２７は、軸部３５を介してベース部材２８に固定され、中空部３７側の外形が軸部３５から等距離（ｒ１）となっている。このため、組み付け誤差等により、図１１（ｅ）及び（ｆ）に示すように、閉口側当接部材２７が軸部３５を中心に反時計回りや時計回りに回転したりした場合でも、羽根部材５ａは、回動軸部２１回りに同じ位置で閉口側当接部材２７に当接して閉口状態となる。以上、羽根部材５ａについて説明したが、羽根部材５ｂ〜５ｄについても同様である。
【００４２】
次に、図１２及び図１３を参照して、羽根部材５ａの光学フィルタ部１９ａに帯電する静電気をＮＤユニット１の外部へ除電するための構成について説明する。図１２（ａ）は羽根部材５ａの斜視図、図１２（ｂ）は羽根部材５ａの分解斜視図、図１２（ｃ）は図１２（ｂ）の反対側から見た斜視図である。図１３は、ベース部材２８に羽根部材５ａ〜５ｄを取り付けた状態を示す斜視図である。
【００４３】
図１２に示すように、羽根部材５ａは、光透過性を有する光学フィルタ部１９ａ、導電性材料からなる上部保持部材３８、及び導電性材料からなる下部保持部材３９で構成される。下部保持部材３９は、回動軸部２１に回転可能に嵌合される穴部４９を有する。光学フィルタ部１９ａは、下部保持部材３９の凹部４０に嵌め込まれて位置決め保持される。
【００４４】
上部保持部材３８と下部保持部材３９は、光学フィルタ部１９ａを挟んだ状態で、上部保持部材３８の係止部４１，４２を下部保持部材３９の被係止部４３，４４に係止した後、ビス４５等により一体に固定される。このとき、光学フィルタ部１９ａは、上部保持部材３８の凸部４６と下部保持部材３９の凸部４７によって光軸方向に押圧された状態で保持される。
【００４５】
ＮＤユニット１に帯電した静電気は、凸部４７を介して下部保持部材３９に流れ、その後、図１３に示すように、回動軸部２１を介してベース部材２８に流れる。ベース部材２８は、不図示のビスを介して不図示の本体グランドに接続される。
【００４６】
次に、図１４及び図１５を参照して、上部保持部材３８と下部保持部材３９とを係止部４１，４２と被係止部４３，４４との係止構造とビス止め構造により一体化した場合の利点について説明する。
【００４７】
図１４（ａ）は上部保持部材３８と下部保持部材３９とを係止部４１，４２と被係止部４３，４４との係止構造とビス止め構造を併用して一体化した場合の羽根部材５ａを光軸方向の被写体側から見た図、図１４（ｂ）は図１４（ａ）のＡ−Ａ線断面図である。
【００４８】
図１５（ａ）は上部保持部材３８と下部保持部材３９とをビス止めのみで一体化した場合の羽根部材５ａを光軸方向の被写体側から見た図、図１５（ｂ）は図１５（ａ）のＢ−Ｂ線断面図である。
【００４９】
図１４において、係止部４１，４２と被係止部４３，４４との係止位置から凸部４６，４７までの間で上部保持部材３８の弾性変形が可能な距離をＸとする。また、図１５において、ビス止め位置と凸部４６，４７までの間で上部保持部材３８の弾性変形が可能な距離をＹとすると、Ｘ＞Ｙの関係となる。
【００５０】
したがって、図１５より図１４の方が上部保持部材３８と下部保持部材３９とを一体化したときに上部保持部材３８が撓みやすく、光学フィルタ部１９ａが受けるダメージが小さくなり、フィルタ部１９ａの破損を防ぐことができ、また、ビス本数も削減できる。
【００５１】
また、上部保持部材３８の凸部４６は、係止部４１，４２の間に配置され、下部保持部材３９の凸部４７は、被係止部４３，４４の間に配置される。これにより、上部保持部材３８と下部保持部材３９とを一体化した際に、凸部４６，４７により光学フィルタ部１９ａを確実にチャージすることができる。
【００５２】
次に、図１６乃至図２１を参照して、本実施形態のＮＤユニット１の組み立て方法について説明する。
【００５３】
図１６（ａ）は、リンク部材６とアームガード７ａが接続された羽根部材５ａ、及びベース部材２８を光軸方向の被写体と反対側から見た斜視図である。図１６（ｂ）は、リンク部材６とアームガード７ａが接続された羽根部材５ａをベース部材２８に組み込んだ状態を光軸方向の被写体と反対側から見た斜視図である。
【００５４】
まず、図１６（ａ）に示すように、ベース部材２８に、羽根間調整部材１８、回動軸部２１、摺動軸部４８、バネ軸部２２、軸部３５、及びカム軸部２５を取り付け、その後、リンク部材６とアームガード７ａが接続された羽根部材５ａを取り付ける。
【００５５】
羽根間調整部材１８は、複数枚の羽根部材５ａ〜５ｄの互いに隣り合う羽根部材間に配置されるスペーサを一体化したものである。各スペーサ間には、羽根部材５ａ〜５ｄの回動動作時に羽根部材５ａ〜５ｄを案内するレール部５１ａ〜５１ｄが形成されている。なお、互いに隣り合う羽根部材間に配置されるスペーサがそれぞれ独立していてもよいが、羽根間調整部材１８の方が、ＮＤユニット１の部品点数の削減や小型化を図るとともに、複数枚の羽根部材５ａ〜５ｄの光軸方向のぶれをなくすことができる。
【００５６】
次に、図１６（ｂ）に示すように、羽根部材５ａに形成された穴部４９を回動軸部２１に回転可能に嵌め込むとともに、リンク部材６ａに形成された長穴部５０を摺動軸部４８に摺動可能に嵌め込む。このとき、羽根部材５ａは、羽根間調整部材１８から退避させた位置に配置される。
【００５７】
次に、羽根部材５ａを回動軸部２１を中心に羽根間調整部材１８側に回動させて、羽根間調整部材１８の図の一番下側のレール部５１ａに挿入し、羽根部材５ａを閉口状態と開口状態の間の位置に保持する。次に、不図示のスペーサ部を回動軸部２１に嵌め込む。羽根部材５ｂ〜５ｄについても、羽根部材５ａと同様にして、それぞれ羽根間調整部材１８のレール部５１ｂ〜５１ｄに挿入し、閉口状態と開口状態の間の位置に保持する。
【００５８】
次に、図１７に示すように、開口側当接部材２４をベース部材２８にネジ止め固定し、アームガード７ａ〜７ｄにアーム間調整部材５２，５３を挿入し、カム部材１７をカム軸部２５に嵌め込む。
【００５９】
その後、バネ部材２３ａ〜２３ｄのフック部３１ａ〜３１ｄ及びフック部３０ａ〜３０ｄをそれぞれバネ軸部２２の掛止溝３２ａ〜３２ｄ及び羽根部材５ａ〜５ｄのバネ止め部２９ａ〜２９ｄの掛止溝２９ａ−１，２９ｂ−２，２９ｃ−１，２９ｄ−２に掛止する。
【００６０】
次に、長穴部５０の長手方向の長さについて説明する。なお、ここでは、羽根部材５ａに連結されるリンク部材６ａに形成された長穴部５０について説明するが、羽根部材５ｂ〜５ｄに連結されるリンク部材６ａ〜６ｄに形成された長穴部５０についても同様である。
【００６１】
ここで、長穴部５０の連結部２０に近い側の端部から連結部２０の中心までの距離をＬ１とし、長穴部５０の連結部２０から遠い側の端部から連結部２０の中心までの距離をＬ２とする。
【００６２】
本実施形態では、距離Ｌ１を、羽根部材５ａを光軸と直交する方向から羽根間調整部材１８のレール部５１ａに挿入できる長さとし、かつ、摺動軸部４８と連結部２０と回動軸部２１とが直線上に並ぶことができない長さとしている。また、距離Ｌ２を、羽根部材５ａの閉口状態で光学フィルタ部１９ａの内側を光束がすべて通過できる長さとしている。これにより、ＮＤユニット１の組立性の向上を図っている。
【００６３】
以下、距離Ｌ１、Ｌ２を上記のように規定した理由を述べる。
【００６４】
図１８（ａ）に示すように、距離Ｌ１を羽根部材５ａを光軸と直交する方向から羽根間調整部材１８のレール部５１ａに挿入できない長さにした場合、ベース部材２８に対して羽根部材５ａ〜５ｄ等を組み込んだ後、羽根間調整部材１８を組み込む必要がある。このとき、レール部５１ａ〜５１ｄにそれぞれ羽根部材５ａ〜５ｄを同時に挿入する必要があるため、組立性が悪くなる。
【００６５】
図１８（ｂ）に示すように、摺動軸部４８から回動軸部２１までの距離Ｌ４より距離Ｌ１と連結部２０の中心から回動軸部２１までの距離Ｌ３を足した距離が短い（Ｌ４＞Ｌ１＋Ｌ３）場合、摺動軸部４８と連結部２０と回動軸部２１が直線上に並ぶことになる。この場合、図１９（ａ）に示すように、羽根部材５の退避位置への角度範囲が広くなり、羽根部材５ａの仮保持ができなくなり組立性が悪くなる。
【００６６】
図１９（ｂ）に示すように、距離Ｌ２を羽根部材５ａの閉口状態で光学フィルタ部１９ａの内側を光束がすべて通過できる長さより短くした場合は、光学フィルタ部１９ａが撮影光路を覆うことができず、ＮＤフィルタとしての機能を果たさない。
【００６７】
また、図２０及び図２１に示すように、羽根部材５ａは、退避位置から羽根間調整部材１８のレール部５１ａに挿入する際に、自重により先端がリンク部材６ａの穴部４９から見て光軸方向下方へ寸法Ｚだけ落ち込む。
【００６８】
本実施形態では、レール部５１ａの被写体と反対側の面取り部５５の面取り寸法を被写体側の面取り部５６の面取り寸法より大きくすることにより、羽根部材５ａが落ち込んでいる状態でも羽根部材５ａをレール部５１ａに容易に挿入できるようにしている。レール部５１ｂ〜５１ｄについても同様である。
【００６９】
以上説明したように、本実施形態では、ＮＤユニット１のベース部材２８に羽根間調整部材１８を組み付けた後、複数枚の羽根部材５ａ〜５ｄを一枚ずつ羽根間調整部材１８のレール部５１ａ〜５１ｄに挿入することができる。これにより、羽根部材間に配置される複数のスペーサを一体化した羽根間調整部材１８を有するＮＤユニット１であっても、羽根間調整部材１８に羽根部材５ａ〜５ｄを容易に組み込むことができ、組立性の向上を図ることができる。
【００７０】
（第２の実施形態）
次に、図２２及び図２３を参照して、本発明の減光装置の第２の実施形態であるＮＤユニットについて説明する。なお、本実施形態では、上記第１の実施形態に対して相違する部分についてのみ符号を流用しつつ説明する。
【００７１】
図２２（ａ）は羽根間調整部材１８のレール部５１ａ，５１ｂと羽根部材５ａ，５ｂとの関係を示す図、図２２（ｂ）はリンク部材６ａ，６ｂに形成した長穴部５０の長さについて説明するための図である。図２３は、互いに隣り合う羽根部材５ａ，５ｂが退避位置にあるときの状態を示す図である。
【００７２】
図２２（ａ）に示すように、重力方向と光軸方向とを一致させた場合、羽根部材の先端の光軸方向への落ち込み量は、羽根部材の枚数が増えるごとに累積されて大きくなる。まず、羽根部材５ａ，５ｂについて説明すると、羽根部材５ａの落ち込み量をＺ、羽根部材５ｂの落ち込み量をＷとしたときに、Ｚ＜Ｗとなる。
【００７３】
羽根部材５ａが羽根部材５ｂより先にレール部５１ａに挿入されれば、羽根部材５ｂに累積した落ち込み量が小さくなり、Ｗが小さくなる。したがって、羽根部材５ｂをレール部５１ｂに挿入しやすくなる。
【００７４】
ここで、図２２（ｂ）に示すように、リンク部材６ａの長穴部５０の連結部２０に近い側の端部から連結部２０中心までの距離をＬ１ａとし、リンク部材６ｂの長穴部５０の連結部２０に近い側の端部から連結部２０中心までの距離をＬ１ｂとする。
【００７５】
本実施形態では、Ｌ１ａとＬ１ｂとの関係をＬ１ａ＞Ｌ１ｂとしている。また、開口側当接部材２４を着脱可能として、バネ部材２３ａ，２３ｂを開口側当接部材２４より先に取り付けることにより、図２３に示すように、羽根部材５ａが羽根部材５ｂより羽根間調整部材１８に近い位置に退避した状態で仮保持される。
【００７６】
この状態で羽根部材５ａ，５ｂを羽根間調整部材１８のレール部５１ａ，５１ｂに組み付けると、羽根部材５ａがレール部５１ａに挿入された後、羽根部材５ｂがレール部５１ｂに挿入される。先に羽根部材５ａがレール部５１ａに挿入されることにより、羽根部材５ｂの光軸方向への落ち込み量Ｗが小さくなり、羽根部材５ａと羽根部材５ｂを一度の組み付け動作で容易に羽根間調整部材１８のレール部５１ａ，５１ｂに挿入することができる。
【００７７】
また、リンク部材６ｃの長穴部５０の連結部２０に近い側の端部から連結部２０中心までの距離をＬ１ｃとし、リンク部材６ｄの長穴部５０の連結部２０に近い側の端部から連結部２０中心までの距離をＬ１ｄとして、Ｌ１ａ＞Ｌ１ｂ＞Ｌ１ｃ＞Ｌ１ｄとする。これにより、羽根部材５ａ〜５ｄについても、上記同様の効果を得ることができる。その他の構成、及び作用効果は、上記第１の実施形態と同様である。
【００７８】
（第３の実施形態）
次に、図２４を参照して、本発明の減光装置の第３の実施形態であるＮＤユニットについて説明する。なお、本実施形態では、上記第１の実施形態に対して相違する部分についてのみ符号を流用しつつ説明する。
【００７９】
図２２（ａ）で先に説明したように、重力方向と光軸方向とを一致させた場合、羽根部材の先端の光軸方向への落ち込み量は、羽根部材の枚数が増えるごとに累積されて大きくなる。まず、羽根部材５ａ，５ｂについて説明すると、羽根部材５ａの落ち込み量をＺ、羽根部材５ｂの落ち込み量をＷとしたときに、Ｚ＜Ｗとなる。
【００８０】
ここで、下側の羽根部材５ａが上側の羽根部材５ｂより先にレール部５１ａに挿入されれば、羽根部材５ｂに累積した落ち込み量が小さくなり、Ｗが小さくなる。したがって、羽根部材５ｂをレール部５１ｂに挿入しやすくなる。
【００８１】
そこで、本実施形態では、図２４に示すように、レール部５１ａ，５１ｂの長さをレール部５１ａ＞レール部５１ｂとした。これにより、羽根部材５ａ，５ｂを羽根間調整部材１８のレール部５１ａ，５１ｂに組み付けると、先に羽根部材５ａがレール部５１ａに挿入された後、羽根部材５ｂがレール部５１ｂに挿入される。
【００８２】
先に羽根部材５ａがレール部５１ａに挿入されることにより、羽根部材５ｂの光軸方向への落ち込み量Ｗが小さくなり、羽根部材５ａと羽根部材５ｂを一度の組み付け動作で容易に羽根間調整部材１８のレール部５１ａ，５１ｂに挿入することができる。
【００８３】
また、レール部５１ａ〜５１ｄの長さを５１ａ＜５１ｂ＜５１ｃ＜５１ｄとすることで、羽根部材５ａ〜５ｄについても上記同様の効果を得ることができる。その他の構成、及び作用効果は、上記第１の実施形態と同様である。
【００８４】
（第４の実施形態）
次に、図２５乃至図２７を参照して、本発明の減光装置の第４の実施形態であるＮＤユニットについて説明する。なお、本実施形態では、上記第１の実施形態に対して相違する部分についてのみ符号を流用しつつ説明する。
【００８５】
図２５はアームガード７ａがカム部材１７の凸部２６ａにより押し上げられた状態を示す図、図２６は図２５の矢印γ方向から見た図である。
【００８６】
図２６に示すように、アームガード７ａは、光軸方向の幅が一定ではなく、光軸方向に幅広な幅広部３３と、幅広部３３よりカム部材１７側に配置されて光軸方向に幅狭な幅狭部３４と有する。
【００８７】
図２７（ａ）はアームガード７ａの幅狭部３４とカム部材１７の凸部２６ａとの光軸方向の幅寸法を誇張した概念図、図２７（ｂ）は幅狭部３４がない場合のアームガード７ａとカム部材１７の凸部２６ａの光軸方向の幅寸法を誇張した概念図である。
【００８８】
なお、図２７（ａ）及び図２７（ｂ）においては、カム部材１７の凸部２６ａがアームガード７ａを最大に押し上げた状態とする。また、図２７（ｂ）は、図２７（ａ）に対して幅狭部３４がない以外は、図２７（ａ）と同一条件とする。
【００８９】
図２７（ａ）と図２７（ｂ）とを比較した場合、アームガード７ａに幅狭部３４がある方が対応するカム部材１７の凸部２６ａの光軸方向の幅寸法を大きくできることが分かる。このことは、アームガード７ｂ〜７ｄについても同様である。
【００９０】
このように、アームガード７ａ〜７ｄに幅狭部３４を設けることにより、ＮＤユニット１の光軸方向の幅は変えずに薄型化を図りつつ、カム部材１７の光軸方向の幅寸法を大きくすることができ、カム部材１７の強度向上を実現することができる。その他の構成、及び作用効果は、上記第１の実施形態と同様である。
【００９１】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００９２】
５ａ〜５ｄ  羽根部材
６ａ〜６ｄ  リンク部材
１７  カム部材
１８  羽根間調整部材
１９ａ〜１９ｄ  光学フィルタ部
２０  連結部
２１  回動軸部
２６ａ〜２６ｄ  凸部
２８  ベース部材
４８  摺動軸部
５０  長穴部
５１ａ〜５１ｄ  レール部
【図１】
2014044308.tif 000003
【図２】
2014044308.tif 000004
【図３】
2014044308.tif 000005
【図４】
2014044308.tif 000006
【図５】
2014044308.tif 000007
【図６】
2014044308.tif 000008
【図７】
2014044308.tif 000009
【図８】
2014044308.tif 000010
【図９】
2014044308.tif 000011
【図１０】
2014044308.tif 000012
【図１１】
2014044308.tif 000013
【図１２】
2014044308.tif 000014
【図１３】
2014044308.tif 000015
【図１４】
2014044308.tif 000016
【図１５】
2014044308.tif 000017
【図１６】
2014044308.tif 000018
【図１７】
2014044308.tif 000019
【図１８】
2014044308.tif 000020
【図１９】
2014044308.tif 000021
【図２０】
2014044308.tif 000022
【図２１】
2014044308.tif 000023
【図２２】
2014044308.tif 000024
【図２３】
2014044308.tif 000025
【図２４】
2014044308.tif 000026
【図２５】
2014044308.tif 000027
【図２６】
2014044308.tif 000028
【図２７】
2014044308.tif 000029